(57)【要約】【課題】使いやすく、丈夫で軽いソフトキャリヤーケースであって、部品点数が少なく、簡単に速く安く製造でき、デザイン的にも優れたソフトキャリヤーケースを提供する。【解決手段】本考案のソフトキャリーケースは、キャスター、キャリーハンドルおよび把手が設けられており、収納物出入用開口部３１を有する箱体に一体成形された芯材成形体３と、該芯材成形体３を内部に収納した外装袋体２とから構成され、外装袋体２には、前記開口部３１に対応する位置に開閉蓋２２を備えた開閉自在な収納物出入口と、前記芯材成形体３が挿入可能な挿入口２４とが設けられていることを特徴とする。【選択図】図３
0003171068.tif 000002
【実用新案登録請求の範囲】
【請求項１】
キャスター、キャリーハンドルおよび把手が設けられたソフトキャリーケースであって、収納物出入用開口部を有する箱体に一体成形された芯材成形体と、該芯材成形体を内部に収納した外装袋体とから構成され、外装袋体には、前記開口部に対応する位置に開閉蓋を備えた開閉自在な収納物出入口と、前記芯材成形体が挿入可能な挿入口とが設けられていることを特徴とするソフトキャリーケース。
【請求項２】
外装袋体の挿入口には開閉可能な挿入口蓋が設けられていることを特徴とする請求項1に記載のソフトキャリーケース。
【請求項３】
収納物出入口と芯材成形体の挿入口とが兼用されていることを特徴とする請求項２に記載のソフトキャリーケース。
【請求項４】
芯材成形体にはキャスター、キャリーハンドルおよび把手の少なくとも一つが予め設けられ、外装袋体には、予め設けられたキャスター、キャリーハンドルおよび把手に対応したそれぞれの取出口が設けられていることを特徴とする請求項1〜３のいずれかに記載のソフトキャリーケース。
【請求項５】
挿入口が外装袋体の背面上部に設けられ、キャリーハンドル取出口を兼用していることを特徴とする請求項２または４に記載のソフトキャリーケース。
【請求項６】
開閉蓋が設けられた収納物出入口の周縁に、内装布が着脱自在に接合されていることを特徴とする請求項１〜５のいずれか一項に記載のソフトキャリーケース。
【考案の詳細な説明】
【技術分野】
【０００１】
本考案は、旅行などでよく用いられるキャリーケースに関するものである。
【背景技術】
【０００２】
キャリーケースは、伸縮式の支柱を持つキャリーハンドルとキャスターとが取り付けられ、持ち運びに便利なため、旅行などでよく用いられる。キャリーケースには、外装を剛直な合成樹脂やアルミニウムなどで構成したハードキャリーケースと繊維布地、プラスチックシート、皮革などの生地を縫合し袋状としたソフトキャリーケースとがある。ソフトキャリーケースは外装の材質から、ケースの重量が軽く、またデザインもバラエティーに富んでいることから多く用いられている。
【０００３】
従来のソフトキャリーケースは、生地をほぼ直方体に縫合した外装袋体の内部を芯材で補強して、形状を整えて組み立てられている。芯材は板状体とリブや柱状体などを組み合わせて、補強や形状を整えており、とくにキャリーハンドル、把手やキャスターなどの取り付け部は、さらに強度補強が行われている。
【０００４】
このように、芯材を組み立てて製造するソフトキャリーケースは、補強や組み立てに時間を要し、種々の芯材を用いて組み立てるため部品点数が多くなり、コストアップにも繋がっている。また、部品が多くなるため、重量も重くなり、故障の原因も多くなっている。さらに、生地と心材とを一緒に縫い込む場合は、ケースが大きくなるにつれて、取り回しが難しくなり、作業時間を多く要し、広い作業場所が必要となる。
【０００５】
従来の補強芯材を改良して、軽量でありながら、強度の得られる補強芯材を既に提案したが（特許文献１および２参照）、製造の合理化の面ではまだ充分ではなかった。
【先行技術文献】
【特許文献】
【０００６】
【特許文献１】登録実用新案第３０６７８７２号公報
【特許文献２】特開２００２−１２５７４１号公報
【考案の概要】
【考案が解決しようとする課題】
【０００７】
本考案の課題は、使いやすく、丈夫で軽いソフトキャリーケースであって、部品点数が少なく、簡単に速く安く製造でき、デザイン的にも優れたソフトキャリーケースを提供することである。
【課題を解決するための手段】
【０００８】
本考案のソフトキャリーケースは、キャスター、キャリーハンドルおよび把手が設けられており、収納物出入用開口部を有する箱体に一体成形された芯材成形体と、該芯材成形体を内部に収納した外装袋体とから構成され、外装袋体には、前記開口部に対応する位置に開閉蓋を備えた開閉自在な収納物出入口と、前記芯材成形体が挿入可能な挿入口とが設けられていることを特徴とする。
【０００９】
そして、上記のソフトキャリーケースの外装袋体の挿入口には、開閉可能な挿入口蓋が設けられていることや、収納物出入口と芯材成形体の挿入口とが兼用されていることも特徴とする。
【００１０】
さらには、上記の芯材成形体にはキャスター、キャリーハンドルおよび把手の少なくとも一つが予め設けられ、外装袋体には、予め設けられたキャスター、キャリーハンドルおよび把手に対応したそれぞれの取出口が設けられていることや、挿入口が外装袋体の背面上部に設けられ、キャリーハンドル取出口を兼用していることも特徴とする。そして、内装布を設ける場合には、開閉蓋が設けられた収納物出入口の周縁に、内装布が着脱自在に接合されているものが好ましい。
【考案の効果】
【００１１】
本考案のソフトキャリーケースでは、芯材として一体成形した成形品を使用しているため、製造に際しては、芯材を組み立てる工程の必要がなく、設計段階で成形品に補強を施しておくことができるため部品点数も少なく、製造工程におけるコストダウン、時間の短縮ができる。また、外装袋体には芯材成形体の挿入口が設けられているため、その縫製についても、芯材を入れ込んで縫製する必要がない。したがって、大きなケースを製造する場合でも取り回しが簡単で、広い作業場所が必要なく、小型ケースでも大型ケースでも、外装袋体の縫製作業は同じ広さの作業場所で行うことができる。さらに、一体成形された芯材成形品の採用により、部品数も少なく、重量も軽く、組み立てに起因する故障の少ないソフトキャリーケースとすることができる。
【００１２】
また、芯材成形体にキャスター、キャリーハンドルおよび把手を予め設けられたソフトキャリーケースでは、外装袋体が取り換え可能であり、古くなった場合に外装袋体のみを取り換えることで新品と同様にしたり、複数の外装袋体を取り揃え、旅行先や外出先に応じて外装袋体を取り換えたりすることができるデザイン的にも優れたものとすることができる。さらに、内装布を着脱自在に接合することもできるタイプとすることもできる。
【００１３】
また、芯材と外装が分離し易く、芯材は単一の素材による一体成形で製作されているため、ケースを廃棄する際には、芯材を分解する必要もなく、構成素材の分別がし易く、リサイクル効率を上げることができる。
【図面の簡単な説明】
【００１４】
【図１】本考案のソフトキャリーケースの外観斜視図である。
【図２】一体成形された芯材成形体の斜視図である。
【図３】外装袋体の底面に設けられた挿入口より、芯材成形体を挿入している説明斜視図である。
【図４】外装袋体の側面に設けられた挿入口より、芯材成形体を挿入している説明斜視図である。
【図５】外装袋体の背面に設けられた挿入口より、芯材成形体を挿入している説明斜視図である。
【図６】外装袋体に設けられた収納物出入口より、芯材成形体を挿入している説明斜視図である。
【図７】外装袋体の背面上部に設けられた挿入口とキャリーハンドルの取出口とが兼用されている説明部分斜視図である。
【図８】収納物出入口の周縁に、着脱自在に接合する内装布の斜視図である。
【図９】キャスター、キャリーハンドルおよび把手が設けられている芯材成形体の斜視図である。
【図１０】図９に示した芯材成形体の背面側からの斜視図である。
【図１１】キャスター等の取出口が設けられた外装袋体の斜視図である。
【図１２】図１１に示した外装袋体の底面側からの斜視図である。
【考案を実施するための形態】
【００１５】
以下、本考案の実施の形態について図に基づき詳細に説明する。
【００１６】
図１は本考案のソフトキャリーケース１の斜視図であり、図２に示す芯材成形体３を内部に収納した外装袋体２で構成されており、外装袋体２の外側から、伸縮自在な支柱５に取り付けられたキャリーハンドル４、把手６およびキャスター７が取り付けられ、芯材成形体３に固定されている。図２に示す芯材成形体３には、収納物出入用開口部３１が設けられ、把手６を固定するための補強リブ３３が形成されている。また図３に示すように、芯材成形体３の背面には支柱５を配置するための支柱収納凹部３２が形成されており、この凹部３２には、図５に示すように支柱取り付けるための補強リブ３４が設けられている。把手６は補強リブ３３に、キャリーハンドル４は伸縮自在な支柱５を介して補強リブ３４に取り付け固定される。また、キャスター７が取り付けられる芯材成形体３の底面も同様に補強されている。
【００１７】
このソフトキャリーケース１には、収納した芯材成形体３の開口部３１に対応する位置に設けられた収納物出入口には、開閉蓋２２が備えられ、スライドファスナー２３により開閉自在となっている。図６には、収納物出入口２１に備えられた開閉蓋２２を開いた状態が示されている。
【００１８】
図３〜５は、芯材成形体３を外装袋体２の内部に収納する方法の説明図である。図３では、外装袋体２の底面に設けた挿入口２４より芯材成形体３を挿入し、収納している。図４では、外装袋体２の側面に設けた挿入口２４より芯材成形体３を挿入し、収納している。
図５では、外装袋体２の背面上部に設けた挿入口２４より芯材成形体３を挿入し、収納している。また、これらの図における挿入口２４のいずれにも、スライドファスナー２６により開閉可能となっている挿入口蓋２５が備えられている。したがって、芯材成形体３の挿入後、挿入口蓋２５を閉じることにより、芯材成形体３を外装袋体２の内部に収納することができる。
【００１９】
芯材成形体３は箱体に一体成形されているため、挿入蓋２５が備えられていない場合でも、芯材成形体３の表面が外装の一部を兼ねることもできる。この場合には、外装を兼ねる表面部分を装飾して、体裁を整えることも有用である。
【００２０】
図６では、外装袋体２の収納物出入口２１から芯材成形体３を挿入し、外装袋体２の内部に収納する方法の説明図であり、収納物出入口と芯材成形体の挿入口とを兼用した形態である。
【００２１】
図３〜６で示したいずれかの方法により、芯材成形体３を内部に収納した後、支柱５を介したキャリーハンドル４、把手６およびキャスター７を外装袋体２の外側より、芯材成形体３に取り付け固定する。この場合、前記したように芯材成形体３の各補強部に、ネジやリベットなどの固定具により固定する。キャリーハンドル４の支柱５は、周知のキャリーケースと同様に伸縮可能となっており、補強リブ３４を貫通して取り付けられる。これらの取り付けは、外装袋体２の生地を貫通して行われるが、図５に示したような挿入口２４を背面上部に設けた形態では、図７に示すように、外装袋体２の生地に取出口を設けることなく、挿入口蓋２５の上部を一部開口し、キャリーハンドル取出口とすることができる。この場合キャリーハンドルを使用しない場合には、キャリーハンドル４を外装袋体２の内部に押込み、挿入蓋２５をスライドファスナー２６で閉じ、キャリーハンドル４を内部に閉じ込めることができる。
【００２２】
従来のソフトキャリーケースでは、把手やキャスターなどが取り付けられたケース内側には芯材としての補強枠や補強板、把手やキャスターの取り付け部などと、これらを組み立て固定するための止め金具が多数取り付けられている。そして、伸縮式のハンドル支柱が取り付けられている場合には、ケースの内部にキャリーハンドル支柱の外筒なども取り付けられる。そのため、ケースに収納する衣類などのこれらの金具などによる損傷や汚れを防止したり、体裁を良くしたりするために、ケースの内部には内装布が取り付けられている。
【００２３】
本考案のソフトキャリーケースでは、一体成形された芯材成形体を使用し、組み立ての必要がなく、キャリーハンドル、把手、キャスターなどの取り付け部も設計段階で補強を施したり、キャリーハンドル支柱の収納凹部を形成したりした成形品とすることができる。そのため、内装布は必ずしも必要ではないが、収納物である衣類などの保護やケースの体裁をよくするために内装布を取り付けることもできる。
【００２４】
本考案においては、誰でも簡単に内装布を着脱することができ、外した内装布を洗ったり、破損した内装布を交換したりすることが簡単にできるようにしておくことが好ましい。そのためには、図８に示される上端周縁にスライドファスナーの一方のエレメント装着テープ４１が縫着され取り付けられている内装布４０を用いて、図６に示す外装袋体２の収納物出入口２１の周縁に設けたスライドファスナー２３の内側に沿って、前記のエレメント装着テープ４１の他方のエレメント装着テープを縫着し、内装布４０を着脱自在に接合することができる。
【００２５】
内装布を収納物出入口２１の周縁に着脱自在に接合するためには、上記のようにしてスライドファスナーを用いることが好ましいが、その他の接合手段でもよく、ホックやスナップボタンなどの点ファスナーや鉤(フック)と輪（ループ）とを組み合わせた面ファスナーを用いることもできる。
【００２６】
また、キャリーハンドル、把手、キャスターなどを予め芯材成形体３に取り付けた後、外装袋体２の内部に収納する方法でもケースを製作できる。この場合、キャリーハンドル等の部品を予めすべて取り付けてもよいし、一部の部品のみを取り付けてもよい。図９は、支柱５を介したキャリーハンドル４、把手６およびキャスター７のすべてを予め取り付けた芯材成形体３の正面側からの斜視図である。正面側には収納物出入用開口部３１が設けられている。図１０は背面側からの斜視図であり、キャリーハンドル４は支柱５を介して、補強リブ３４に取り付けられている。
【００２７】
図１１には上記の部品を予め取り付けた芯材成形体３を収納するための外装袋体２の斜視図が示されている。図１２はこの外装袋体の底面側からの斜視図である。この外装袋体２には、キャスター７の取出口２７が底面の四隅に、把手６の取出口２８が上面と側面に設けられており、キャリーハンドル４の取出口は、前記図７で説明したように、背面上部に設けられた挿入口が兼ねている。この外装袋体２に図９や１０に示した芯材成形体３を収納し、各部品の取出口からキャスター、キャリーハンドル、把手を外側に出して、本考案のソフトキャリーケースとすることができる。この外装袋体２では、キャリーハンドル４の取出し口は挿入口と兼用となっているため、挿入口蓋２５の上部を図７で示すように開いて、キャリーハンドル４を取り出す。
【００２８】
本考案の外装袋体は、従来のソフトキャリーケースに用いられる外装と同様な素材である繊維布地、軟質プラスチックシート、合成または天然皮革などの生地をほぼ直方体に縫合して製作される。芯材成形体は、各種の硬質プラスチックをブロー成形や射出成形などにより、箱体に一体成形して製作される。用いられるプラスチックとしては、ポリプロピレン、ポリカーボネート、ＡＢＳ、ポリアミド（ナイロン）、ポリアセタールなどを例示することができる。
【符号の説明】
【００２９】
１    ソフトキャリーケース
２    外装袋体
２１  収納物出入口
２２  開閉蓋
２３  スライドファスナー
２４  挿入口
２５  挿入口蓋
２６  スライドファスナー
２７  キャスター取出口
２８  把手取出口
３    芯材成形体
３１  収納物出入用開口部
３２  支柱収納凹部
３３  補強リブ（把手用）
３４  補強リブ（ハンドル支柱用）
４    キャリーハンドル
５    支柱
６    把手
７    キャスター
４０  内装布
４１  エレメント装着テープ
【図１】
0003171068.tif 000003
【図２】
0003171068.tif 000004
【図３】
0003171068.tif 000005
【図４】
0003171068.tif 000006
【図５】
0003171068.tif 000007
【図６】
0003171068.tif 000008
【図７】
0003171068.tif 000009
【図８】
0003171068.tif 000010
【図９】
0003171068.tif 000011
【図１０】
0003171068.tif 000012
【図１１】
0003171068.tif 000013
【図１２】
0003171068.tif 000014